(57)【特許請求の範囲】
【請求項１】
車両の保守作業において車両の検査実施状態を報告するために用いる車両保守管理装置であって、管理対象に係る車両および車両装備に関する個別管理データからなり車両の構造を表現した階層構造を持つ台帳データを保持する台帳データ保持部と、前記台帳データ保持部に保持される前記個別管理データを編集する台帳データ編集部と、管理対象に係る車両および車両装備の形式ごとのマスタデータからなり車両の構造を表現した階層構造を持つ台帳マスタデータを保持する台帳マスタデータ保持部と、管理対象に係る車両および車両装備の形式ごとの検査体系を定める検査テンプレートデータを保持する検査テンプレートデータ保持部と、検査ごとの検査項目定義を定める検査マスタデータを保持する検査マスタデータ保持部と、前記個別管理データに対応する前記台帳マスタデータにより導出される前記検査テンプレートデータに対応する検査マスタデータに応じて検査実績データ領域を作成し、個々の検査における検査結果を入力する検査実績データ編集部と、前記検査実績データ編集部により作成され検査実績データ領域に入力された検査実績データに対応する報告項目および対象検査ならびに各々の前記検査マスタデータで規定された判定基準に従って判定した前記検査実績データの判定結果としての結果書式を定める報告書テンプレートデータを保持する報告書テンプレートデータ保持部と、前記検査実績データ編集部により作成され検査実績データ領域に入力された検査実績データを前記報告書テンプレートデータに従って収集し検査施行報告を自動作成する報告書作成部とを備えたことを特徴とする車両保守管理装置。
【請求項２】
前記台帳マスタデータ保持部に保持された前記台帳マスタデータを編集する台帳マスタデータ編集部と、前記検査テンプレートデータ保持部に保持された前記検査テンプレートデータを編集する検査テンプレートデータ編集部と、前記検査マスタデータ保持部に保持された検査マスタデータを編集する検査マスタデータ編集部と、前記報告書テンプレートデータ保持部に保持された報告書テンプレートデータを編集する報告書テンプレートデータ編集部とを備えたことを特徴とする請求項１に記載の車両保守管理装置。
【発明の詳細な説明】
【技術分野】
【０００１】
この発明は、車両保守管理装置、特に、車両の管理台帳データおよび検査データを登録，編集，管理する機能と、車両設備の検査状態について報告するために用いる検査施行報告の作成支援機能を備えた車両保守管理装置に関するものである。
【背景技術】
【０００２】
従来技術における報告書の作成支援システムとして、建物に付設された保守管理対象の設備機器類の診断報告書を、点検結果に従って自動的に作成するシステムが提案されている（例えば、特許文献１参照）。
この発明が対象とする鉄道車両の保守作業においては、車両および車両装備の形式ごとに検査項目を定められている。しかし、車両に取り付けられる車両装備は検査・修繕の都合から頻繁に変更されることがあり、その車両装備の構成によって車両全体としての検査項目が変化してしまう。
そこで、施行報告作成にあたっては、車両編成や車両装備が変更されるたびに、検査項目から検査施工報告に出力するためのルールを変更する必要が出てくるため、特許文献１に示されるような技術を検査施工報告作成に適用することは困難であった。
【０００３】
そのため、従来の鉄道車両保守作業においては、検査を担当する部署では、車両および車両装備の各検査における検査データを帳票に記載して持ち帰り、検査データを検査報告書にまとめて、検査施行報告を作成する部署へと提出する。そして、検査施行報告を作成する部署では、対象となる車両に関するすべての検査報告書から、検査施行報告で必要となる内容をチェックして定められた書式で手作業により転載するといった作業が行なわれていた。
【０００４】
【特許文献１】特開平１０−１２４５８０号公報
【発明の開示】
【発明が解決しようとする課題】
【０００５】
このように、従来の鉄道車両保守作業においては、法令で定められた検査施行報告を作成するために、多岐にわたる車両の検査作業において作成される個々の検査報告書から手作業で情報を抽出して、必要に応じて特定の表記手法に変換して記入していた。このような手法では、検査施行報告作成の際に、作成者による誤記や検査内容に対する評価の個人差が含まれる可能性があった。しかも、検査施行報告に記されている各項目のバックデータは、数多の検査報告書内に分散している上、各検査報告書自体もさらに別の検査報告書を元に記入されている場合もあり、記入内容の根拠を検索・確認することが非常に困難であった。そのため、誤記や評価の個人差が生まれていても、それらの事象が判明しづらい状況にあった。
【０００６】
この発明は、車両装備等の検査対象の変更に柔軟に対応できるとともに、転記作業なしに検査報告を作成できる車両保守管理装置を得ようとするものである。
【課題を解決するための手段】
【０００７】
この発明に係る車両保守管理装置では、車両の保守作業において車両の検査実施状態を報告するために用いる車両保守管理装置であって、管理対象に係る車両および車両装備に関する個別管理データからなり車両の構造を表現した階層構造を持つ台帳データを保持する台帳データ保持部と、前記台帳データ保持部に保持される前記個別管理データを編集する台帳データ編集部と、管理対象に係る車両および車両装備の形式ごとのマスタデータからなり車両の構造を表現した階層構造を持つ台帳マスタデータを保持する台帳マスタデータ保持部と、管理対象に係る車両および車両装備の形式ごとの検査体系を定める検査テンプレートデータを保持する検査テンプレートデータ保持部と、検査ごとの検査項目定義を定める検査マスタデータを保持する検査マスタデータ保持部と、前記個別管理データに対応する前記台帳マスタデータにより導出される前記検査テンプレートデータに対応する検査マスタデータに応じて検査実績データ領域を作成し、個々の検査における検査結果を入力する検査実績データ編集部と、前記検査実績データ編集部により作成され検査実績データ領域に入力された検査実績データに対応する報告項目および対象検査ならびに各々の前記検査マスタデータで規定された判定基準に従って判定した前記検査実績データの判定結果としての結果書式を定める報告書テンプレートデータを保持する報告書テンプレートデータ保持部と、前記検査実績データ編集部により作成され検査実績データ領域に入力された検査実績データを前記報告書テンプレートデータに従って収集し検査施行報告を自動作成する報告書作成部とを備えたものである。
【発明の効果】
【０００８】
この発明によれば、車両整備等の検査対象の変更に柔軟に対応できるとともに、判定結果を含む検査報告を自動的に作成できる車両保守管理装置を得ることができる。
【発明を実施するための最良の形態】
【０００９】
実施の形態１．
この発明による実施の形態を図１から図６までについて説明する。図１は、この発明による実施の形態における鉄道車両保守管理装置の構成を示すブロック図である。図２は、この発明による実施の形態における図１に示す台帳マスターデータ保持部２１に保持された台帳マスターデータと台帳データ保持部２２に保持された台帳データとの関係を示すブロック図である。図３は、この発明による実施の形態における図１に示す検査マスターデータ保持部２３に保持された検査マスターデータと検査テンプレート保持部２４に保持された検査テンプレートとの関係を示すブロック図である。図４は、この発明による実施の形態における図１に示す検査実績データ保持部２５に保持された検査実績データが作成される流れを示すフローチャートである。図５は、この発明による実施の形態における図１に示す報告書テンプレートデータ保持部２６に保持された報告書テンプレートデータの内容を示すブロック図である。図６は、この発明による実施の形態における車両保守管理装置を利用して報告書を作成する手順を示すフローチャートである。
【００１０】
以下、鉄道車両の保守作業において、管理対象の車両に対する検査状態を報告するために用いる検査施行報告の作成支援機能を備えた車両保守管理装置の実施の形態を詳細に説明する。
【００１１】
この発明による実施の形態における鉄道車両保守管理装置の構成を示す図１において、鉄道車両保守管理装置は車両保守管理サーバ１と車両保守管理装置利用端末５−１〜５−ｎとによって構成され、車両保守管理サーバ１と車両保守管理装置利用端末５−１〜５−ｎは、ネットワーク４を介して接続されている。
車両保守管理サーバ１は、車両保守管理データベース２を構成する各種データ保持部２１〜２６とそれらのデータを利用端末５−１〜５−ｎにそれぞれ設けられたキーボードやマウスなどの入力手段および入力制御部５ａにより入力される利用端末５−１〜５−ｎからの入力情報に基づいて編集する各種データ編集部３１〜３６、および、利用端末５−１〜５−ｎの要求に基づいて車両保守管理データベース２からデータを検索して検査施行報告を作成し、利用端末５−１〜５−ｎの表示制御部５ｂを介して利用端末５−１〜５−ｎに設けられたＣＲＴからなる表示装置に表示する報告書作成部３７からなる。
各種データ保持部２１〜２６は、管理対象に係る車両および車両装備の形式ごとの基本的なデータ、すなわち管理対象に係る車両および車両装備の形式ごとの共通データとしてのマスタデータを示す台帳マスタデータを保持する台帳マスタデータ保持部２１、管理対象に係る車両および車両装備に関する個別管理データとしての台帳データを保持する台帳データ保持部２２、検査ごとの検査項目定義を定める検査マスタデータを保持する検査マスタデータ保持部２３、管理対象に係る車両および車両装備の形式ごとの検査体系を定める検査テンプレートデータを保持する検査テンプレートデータ保持部２４、検査実績データを保持する検査実績データ保持部２５、および、検査実績データ保持部２５に保持された検査実績データに基づいて検査施行報告を出力するためのルールを定める報告書テンプレートデータを保持する報告書テンプレートデータ保持部２６により構成される。
各種データ編集部３１〜３６は、台帳マスタデータ保持部２１に保持された前記台帳マスタデータを編集する台帳マスタデータ編集部３１、台帳データ保持部２２に保持される台帳データとしての個別管理データを編集する台帳データ編集部３２、検査マスタデータ保持部２３に保持された検査マスタデータを編集する検査マスタデータ編集部３３、検査テンプレートデータ保持部２４に保持された前記検査テンプレートデータを編集する検査テンプレートデータ編集部３４、検査実績データ保持部２５に保持される検査実績データを編集する検査実績データ編集部３５、および、報告書テンプレートデータ保持部２６に保持された報告書テンプレートデータを編集する報告書テンプレートデータ編集部３６により構成される。
【００１２】
管理対象である車両および車両装備のデータは、台帳マスタデータ編集部３１および台帳データ編集部３２を用いて作成され、台帳マスタデータ保持部２１に保持される台帳マスタデータおよび台帳データ保持部２２に保持される個別管理データとしての台帳データとして、車両保守管理データベース２内に保管される。
台帳マスタデータ保持部２１に保持される台帳マスタデータは、管理対象である車両および車両装備についての型式を示すデータを持つ。台帳データ保持部２２に保持される個別管理データとしての台帳データは、その型式を示す台帳マスタデータに係るデータに加えて、車両であれば、例えば車両番号、製造メーカ名、製造日等の固有データを持ち、車両装備であれば、例えば製造番号、製造メーカ名、製造日等の固有データを持つ。
【００１３】
図２に示すように、台帳マスタデータ保持部２１に保持される台帳マスタデータおよび台帳データ保持部２２に保持される個別管理データとしての台帳データは、車両の構造を表現した階層構造を持つ。
台帳マスタデータ保持部２１に保持される台帳マスタデータは、台帳マスタ［１］〜［５］として示されている。台帳マスタ［１］は第１台帳マスタを示し、台帳マスタ［５］は第５台帳マスタを示す。
台帳データ保持部２２に保持される台帳データは、台帳［１］〜［５］として示されている。台帳［１］は第１台帳を示し、台帳［５］は第５台帳を示す。
台帳マスタ［２］，台帳マスタ［３］および台帳マスタ［５］は台帳マスタ［１］に所属し、台帳マスタ［４］は台帳マスタ［３］に所属する。また、台帳［２］，台帳［３］および台帳［５］は台帳［１］に所属し、台帳［４］は台帳［３］に所属するといった関係を持つ。
すなわち、車両：Ａ形についての台帳マスタ［１］は、装備：パンタグラフＢ型についての台帳マスタ［２］，装備：台車Ｃ型についての台帳マスタ［３］，および装備：モータＥ型についての台帳マスタ［５］の上位階層に位置し、装備：台車Ｃ型についての台帳マスタ［３］は装備：車輪Ｄ型についての台帳マスタ［４］の上位階層に位置する。
また、車両：Ａ形１００１番についての個別管理データとしての台帳データを持つ台帳［１］は、装備：パンタグラフＢ型１００１番についての個別管理データとしての台帳データを持つ台帳［２］，装備：台車Ｃ型１００１番についての個別管理データとしての台帳データを持つ台帳［３］，および装備：モータＥ型１００１番についての個別管理データとしての台帳データを持つ台帳［５］の上位階層に位置し、装備：台車Ｃ型１００１番についての個別管理データとしての台帳データを持つ台帳［３］は装備：車輪Ｄ型１００１番についての個別管理データとしての台帳データを持つ台帳［４］の上位階層に位置する。
そして、このような階層構造において、車両：Ａ形１００１番についての個別管理データとしての台帳データを持つ台帳［１］は車両：Ａ形についての台帳マスタ［１］と対応し、装備：パンタグラフＢ型１００１番についての個別管理データとしての台帳データを持つ台帳［２］は装備：パンタグラフＢ型についての台帳マスタ［２］と対応し、装備：台車Ｃ型１００１番についての個別管理データとしての台帳データを持つ台帳［３］は装備：台車Ｃ型についての台帳マスタ［３］と対応し、装備：車輪Ｄ型１００１番についての個別管理データとしての台帳データを持つ台帳［４］は装備：車輪Ｄ型についての台帳マスタ［４］と対応し、装備：モータＥ型１００１番についての個別管理データとしての台帳データを持つ台帳［５］は装備：モータＥ型についての台帳マスタ［５］に対応する相互関係を有する。
【００１４】
車両に対する検査項目は、検査マスタデータ編集部３３および検査テンプレートデータ編集部３４を用いて作成され、検査マスタデータ保持部２３に保持された検査マスタデータおよび検査テンプレートデータ保持部２４に保持された検査テンプレートデータとして、車両保守管理データベース２内に保管される。
【００１５】
図３に示すように、検査マスタデータ保持部２３に保持される検査マスタ［１］および検査マスタ［２］からなる検査マスタデータは、検査名称，検査項目，判定基準，判定結果書式等のデータを持ち、検査ごとの検査項目定義を定める。検査テンプレートデータ保持部２４に保持される検査テンプレート［１］および検査テンプレート［２］からなるからなる検査テンプレートデータは、検査マスタデータを適用すべき検査対象としての車両または車両装備に係る台帳マスタを検査マスタデータと関連付けるデータを持つ。
ここで、台帳マスタ［４］は検査テンプレート［１］を参照でき、台帳マスタ［３］は検査テンプレート［２］を参照できる。
【００１６】
検査マスタデータ保持部２３に保持される検査マスタデータとしての検査マスタ［１］は、名称：車輪検査のもとに、検査項目としての項目［１］：車輪幅，項目［２］：車輪直径，項目［３］：車輪厚さを規定し、判定基準：項目［１］≧○ｍｍ，項目［２］≧△ｍｍ，項目［３］≧□ｍｍを規定し、合格結果書式：良および不合格結果書式：要取替を規定する。
また、検査マスタデータ保持部２３に保持される検査マスタデータとしての検査マスタ［２］は、名称：台車検査のもとに、検査項目としての項目［１］：左右傾き，項目［２］：前後傾きを規定し、判定基準：項目［１］≦○％，項目［２］≦△％を規定し、合格結果書式：良および不合格結果書式：要調整を規定する。
【００１７】
検査テンプレートデータ保持部２４に保持される検査テンプレートデータとしての検査テンプレート［１］は、適用すべき検査マスタデータとして検査マスタ：検査マスタ［１］を規定し、検査マスタ：検査マスタ［１］を適用する検査対象として検査対象［１］：台帳マスタ［４］，検査対象［２］：台帳マスタ［８］，検査対象［３］：台帳マスタ［９］，検査対象［４］：台帳マスタ［１０］を規定する。
また、検査テンプレートデータ保持部２４に保持される検査テンプレートデータとしての検査テンプレート［２］は、適用すべき検査マスタデータとして検査マスタ：検査マスタ［２］を規定し、検査マスタ：検査マスタ［２］を適用する検査対象として検査対象［１］：台帳マスタ［３］，検査対象［２］：台帳マスタ［７］を規定する。
【００１８】
実際の検査結果は、検査実績データ編集部３５を用いて作成される。その流れを図４に示す。
検査結果について、例えば、Ａ形１００１番なる車両に係る検査実績に関し検査施行報告を作成しようとする場合には、台帳データ保持部２２に保持された個別管理データとしての台帳データから検査対象とする車両Ａ形１００１番についての台帳［１］を選択すると、台帳［１］に関係する車両Ａ形についての台帳マスタ［１］に対して関連する検査テンプレートを検査テンプレートデータ保持部２４に保持された検査テンプレートデータから探す。この場合、車両Ａ形についての台帳マスタ［１］に関する検査テンプレートがないため、車両Ａ形１００１番についての台帳［１］に関する検査マスタの検索は終了する。
【００１９】
ただし、車両Ａ形についての台帳マスタ［１］および車両Ａ形１００１番についての台帳［１］は図２で示すように階層構造を持っているため、階層構造に従って検査マスタの検索を続行する。例えば、車両：Ａ形１００１番についての台帳［１］に所属する装備：台車Ｃ型１００１番についての台帳［３］に対応する装備：台車Ｃ型についての台帳マスタ［３］には検査テンプレート［２］が結びついており名称：台車検査を持つ検査マスタ［２］（図３参照）が発見される。検査マスタ［２］が発見されると、検査実績データ編集部３５は、検査実績データ保持部２５のデータ領域に検査結果を入力するためのデータ領域として、検査実績［１］を作成する。
同様に、装備：台車Ｃ型１００１番についての台帳［３］に所属する装備：車輪Ｄ型１００１番についての台帳［４］についても検査マスタを検索し、名称：車輪検査を持つ検査マスタ［１］（図３参照）が発見されると、検査実績［２］を作成する。
実際に検査を行なった後、その結果を、検査実績データ保持部２５のデータ領域に作成された検査実績［１］および検査実績［２］に入力して登録する。
【００２０】
検査施行報告の作成ルールは、報告書テンプレートデータ編集部３６を利用して、図５に示す報告書テンプレートデータ［１］および報告書テンプレートデータ［２］を報告書テンプレートデータとして作成し報告書テンプレートデータ保持部２６に記録し保持する。
報告書テンプレートデータ２６に保管される報告書テンプレートデータとしての報告書テンプレート［１］および報告書テンプレート［２］の内容は、図５に示すとおり、項目番号と項目名称、対象検査、結果書式等となる。
報告書テンプレート［１］および報告書テンプレート［２］における対象検査は、項目の内容を評価するための対象となる検査を検査マスタデータ保持部２３に保持された検査マスタデータから選択する。
図５に示す報告書テンプレート［１］のように、検査マスタ［１］，検査マスタ［３］および検査マスタ［８］を対象検査として複数選択した場合は、それぞれの検査マスタデータに結びつく検査実績データを、各々の検査マスタデータの判定基準に従って判定し、すべて判定基準を充足した場合にのみ合格となる。
報告書テンプレート［１］および報告書テンプレート［２］のような報告書テンプレートデータの結果書式は、検査マスタの結果書式に従って出力する場合と、固定の文字列を出力する場合に分けられる。例えば、図５に示す報告書テンプレート［１］の場合、検査マスタ［１］，検査マスタ［３］および検査マスタ［８］に結びつけられたすべての検査実績データにおいて判定基準に照らして合否判定を行い、合格なら検査マスタ［１］の合格結果書式を、不合格なら検査マスタ［１］の不合格結果書式を出力し、報告書テンプレート［２］の場合、検査マスタ［２］および検査マスタ［１０］に結びつけられたすべての検査実績データにおいて判定基準に照らして合否判定を行ない、合格なら「分解・手入れ」を、不合格なら「要分解・手入れ」を出力する設定となる。
【００２１】
検査施行報告は、報告書作成部３７を利用して自動作成され、画面に出力される。報告書作成部３７で行う作成手順を、図２から図５までについて説明する。
例えば、報告書を作成する対象として、図４に示す車両Ａ形１００１番についての台帳［１］を選択したとする。台帳［１］の車両Ａ形についての台帳マスタ［１］に結びつけられた検査テンプレートがないため、直接には台帳［１］に結びついた検査実績データは抽出できない。しかし、車両Ａ形１００１番についての台帳［１］は、車両装備として台帳［２］，台帳［３］，台帳［４］および台帳［５］を持っているため、それぞれの台帳に結びつけられた検査実績データも抽出するため、台帳［３］および台帳［４］に結びついた検査実績データとして、検査実績［１］および検査実績［２］を抽出することができる。
【００２２】
図５の報告書テンプレートが設定されている場合、報告書の項目［１］は報告書テンプレート［１］に従って出力されるため、検査マスタ［１］，検査マスタ［３］および検査マスタ［８］を持つ検査実績データを抽出した結果、検査マスタ［１］に結びつけられている検査実績［２］が該当して、検査実績［２］に入力されたデータを検査マスタ［１］の判定基準に照らして合否判定を行ない、合格であれば検査マスタ［１］の合格結果書式に従って「良」の文字を出力し、不合格であれば検査マスタ［１］の不合格結果書式に従って「要取替」の文字を出力する。
報告書の項目［２］は報告書テンプレート［２］に従って出力されるため、検査マスタ［２］および検査マスタ［１０］を持つ検査実績データを抽出した結果、検査マスタ［２］に結びつけられている検査実績［１］が該当して、検査実績［１］に入力されたデータを検査マスタ［２］の判定基準に照らして合否判定を行ない、合格であれば「分解・手入れ」の文字を、不合格であれば「要分解・手入れ」の文字を出力する。
なお、報告書テンプレート［１］および報告書テンプレート［２］については、どの車両の検査施工報告書を作成する場合も常にこれらの報告書テンプレートが使用される。
【００２３】
図６に、車両および車両装備に関する台帳マスタデータおよび個別管理データとしての台帳データの登録・編集から検査施行報告の作成・出力までの一連の操作の流れを示した。
ステップＳ１において、台帳マスタデータ編集部３１により、管理対象に係る車両および車両装備の形式ごとの基本的な台帳マスタデータ〔図２：台帳マスタ［１］〜［５］，図４：台帳マスタ［１］［３］［４］〕を登録し編集して、台帳マスタデータ保持部２１に記録し保持させる。
ステップＳ２において、台帳データ編集部３２により、管理対象に係る車両および車両装備に関する個別管理データとしての台帳データ〔図２：台帳［１］〜［５］，図４：台帳［１］［３］［４］参照〕を登録し編集して、台帳データ保持部２２に記録し保持させる。
ステップＳ３において、検査マスタデータ編集部３３により、車両保守に係る検査データに関する、検査名，検査項目，判定基準など検査の基本情報を定め、検査ごとの検査項目定義を定める検査マスタデータ〔図３：検査マスタ［１］［２］，図４：検査マスタ［１］［２］参照〕を登録し編集して、検査マスタデータ保持部２３に記録し保持させる。
ステップＳ４において、検査テンプレートデータ編集部３４により、管理対象に係る車両および車両装備に関する形式ごとの検査体系を定める検査テンプレートデータ〔図３：検査テンプレート［１］［２］，図４：検査テンプレート［１］［２］参照〕を登録し編集して、検査テンプレートデータ保持部２４に記録し保持させる。
ステップＳ５において、検査実績データ編集部３５により、検査実績データ領域を作成し、個々の検査において計測された検査結果が入力された検査実績データ〔図４：検査実績［１］［２］参照〕を登録し編集して、検査実績データ保持部２５に記録し保持させる。
ステップＳ６において、報告書テンプレートデータ編集部３６により、検査実績データに基づいて検査施行報告を出力するためのルールを定める報告書テンプレートデータ〔図５：報告書テンプレート［１］［２］参照〕を登録し編集して、検査実績データ保持部２５に記録し保持させる。
ステップＳ７において、報告書作成部３７により、検査実績データ編集部３５により作成された検査実績データ保持部２５の検査実績データ領域に入力された検査実績データ〔図４：検査実績［１］［２］参照〕を報告書テンプレートデータ保持部２６に保持された報告書テンプレートデータ〔図５：報告書テンプレート［１］［２］参照〕に従って収集し検査実績データ保持部２５に保持された検査実績データに基づいて検査施行報告を作成し出力する。
【００２４】
なお、ステップＳ１〜Ｓ７の実行順序は、この順番に実行しなくても、ステップＳ１がステップＳ２よりも前、ステップＳ３がステップＳ４よりも前、ステップＳ５がステップＳ１〜Ｓ４よりも後、ステップＳ７がステップＳ１〜Ｓ６よりも後であれば、順番を入れ替えてもよい。
【００２５】
この実施の形態では、台帳マスタデータ編集部３１と、検査マスタデータ編集部３３と、検査テンプレートデータ編集部３４と、報告書テンプレートデータ編集部３６とを備えたものについて説明しているが、これらのいずれかを省略することも可能である。
【００２６】
また、この実施の形態では、鉄道車両を管理対象とするものについて述べたが、台車や車輪等を備える他の車両に適用することもできる。
【００２７】
以上のように、この発明による実施の形態における目的は、入力された検査データを元に特定のルールに従って施行報告および各検査報告書を自動的に作成する仕組みを提供することで、作成の経路における誤記や個人差を排除することにある。また、その仕組みによって、施行報告および各検査報告書の各項目と、その根拠となる検査データが紐付けされるため、項目の記入内容に対するバックデータは明確化される。
【００２８】
上記の目的を達成するため、この発明の実施の形態では、車両および車両装備のデータを、車両および車両装備の型式のみに依存する台帳マスタデータと個々の車両および車両装備によって個別に保持される台帳データとに分けて保持し、車両保守に関わる検査データを、検査名、検査項目、判定基準など検査の基本情報を保持する検査マスタデータ、検査マスタデータが対象とする車両および車両装備の型式を示すため台帳マスタデータとの関連を保持する検査テンプレートデータ、個々の車両および車両装備に対して実際に測定された検査結果が記録される検査実績データに分けて保持し、検査施行報告の出力項目を定義して検査マスタデータと関連付ける報告書テンプレートデータを保持する記憶媒体と、台帳マスタデータを入力する台帳マスタデータ編集部２１、台帳データを入力する台帳データ編集部３２、検査マスタデータを入力する検査マスタデータ編集部３３、検査テンプレートデータを入力する検査テンプレートデータ編集部３６、検査実績データを入力する検査実績データ編集部３５、報告書テンプレートデータを入力する報告書テンプレートデータ編集部３６、検査データおよび報告書テンプレートに従って検査施行報告を作成する処理を行う報告書作成部３７を備えた車両保守管理装置を設ける。
【００２９】
検査施行報告の作成のため検査実績データを入力すると、報告書作成部３７が報告書テンプレートデータに対して必要とする検査マスタを持つ検査実績データを収集して、判定を行い、検査施行報告を作成する。
これにより、検査実績データから検査施行報告への転記をせずに、個々人の判断を必要としない一意な検査施行報告を作成する仕組みが達成される。
【００３０】
また、検査項目を検査マスタデータという形で登録しておき、車両および車両装備の型式ごとに対象とする検査を検査テンプレートデータという形で結びつけることにより、各検査項目は車両装備の変更に追従して変更される。つまり、車両装備の変更の際にも、その変更を意識することなく、検査実績データの入力が行え、また、施行報告書を作成するための報告書テンプレートデータは検査マスタデータと一体であるため、車両および車両装備の変更に関係がなく維持される。これにより、車両装備の変更に柔軟に対応しうる、検査体系や施工報告作成ルール作りの仕組みが達成される。
【図面の簡単な説明】
【００３１】
【図１】この発明による実施の形態における鉄道車両保守管理装置の構成を示すブロック図である。
【図２】この発明による実施の形態における図１に示す台帳マスターデータ保持部２１に保持された台帳マスターデータと台帳データ保持部２２に保持された台帳データとの関係を示すブロック図である。
【図３】この発明による実施の形態における図１に示す検査マスターデータ保持部２３に保持された検査マスターデータと検査テンプレートデータ保持部２４に保持された検査テンプレートデータとの関係を示すブロック図である。
【図４】この発明による実施の形態における図１に示す検査実績データ保持部２５に保持された検査実績データが作成される流れを示すフローチャートである。
【図５】この発明による実施の形態における図１に示す報告書テンプレートデータ保持部２６に保持された報告書テンプレートデータの内容を示すブロック図である。
【図６】この発明による実施の形態における車両保守管理装置を利用して報告書を作成する手順を示すフローチャートである。
【符号の説明】
【００３２】
１  車両保守管理サーバ、２  車両保守管理データベース、４  ネットワーク、５−１〜５−ｎ  車両保守管理装置利用端末、２１  台帳マスタデータ保持部、２２  台帳データ保持部、２４  検査テンプレートデータ保持部、２５  検査実績データ保持部、２６、報告書テンプレートデータ保持部、３１  台帳マスタデータ編集部、３２  台帳データ編集部、３３  検査マスタデータ編集部、３４  検査テンプレートデータ編集部、３５  検査実績データ編集部、３６  報告書テンプレートデータ編集部、３７  報告書作成部。
【図１】
0004471907.tif 000002
【図２】
0004471907.tif 000003
【図３】
0004471907.tif 000004
【図４】
0004471907.tif 000005
【図５】
0004471907.tif 000006
【図６】
0004471907.tif 000007